(57)【特許請求の範囲】
【請求項１】
外郭を形成する本体と、前記本体の上面にヒンジを介して取り付けられる蓋体と、前記本体内に収納される内鍋と、前記蓋体の内側に設けられ、外周端に係合爪を設けた放熱板ユニットを有する炊飯器において、
前記蓋体の蓋下部材には、上方に突き出た下方開放の凹部を有し、
軸または軸受、把持部、爪係合部及びスプリング支持部を備えたレバーと、軸受または軸及びスプリング受を備えたレバーカバーと、スプリングとを有し、
前記レバーの軸と前記レバーカバーの軸受、または前記レバーの軸受と前記レバーカバーの軸とを嵌合し、前記スプリング支持部と前記スプリング受との間に前記スプリングを挟持する形態のレバーユニットを有し、
前記レバーユニットは、前記凹部内に挿入され、前記把持部が前記凹部から下方に突き出る形態で固定されることを特徴とする炊飯器。
【請求項２】
前記軸受は、円周方向の開口を有し、前記開口を介して前記軸と前記軸受が嵌合され、前記レバーユニットが前記凹部内に挿入された際、前記開口に対向するリブを有することを特徴とする請求項１記載の炊飯器。
【請求項３】
前記蓋体の閉蓋時、前記把持部は、前記内鍋と前記本体との間に位置することを特徴とする請求項１または２に記載の炊飯器。
【請求項４】
前記放熱板ユニットは、前記係合爪と径方向の反対側の外周端に係止片を有し、前記係止片を前記蓋下部材の前記ヒンジ近傍に設けられる２カ所の係合溝に差し込み、前記係合爪を前記レバーの爪係合部に係合させることを特徴とする請求項１乃至３のいずれか一項に記載の炊飯器。
【発明の詳細な説明】
【技術分野】
【０００１】
本願発明は、炊飯器の放熱板ユニットの取付構造に関する。
【背景技術】
【０００２】
炊飯器の蓋体の内面には結露防止等のために蓋ヒーターが設けられ、更にその蓋ヒーターの熱を本体内の内鍋に放散するための放熱板ユニットが、蓋体の内鍋に対向する形態で取り付けられる。この放熱板ユニットは、炊飯時におねばが付着して汚れるため、洗浄可能なように着脱自在に取り付けられる。
【０００３】
従来の放熱板ユニットの取付構造の要部を、図９の断面図及び図１０の概略斜視図で示す。蓋体の下方を形成する蓋下部材１には、内鍋２に対向して放熱板ユニット３が着脱自在に取り付けられる。この放熱板ユニット３は、円盤状の金属製の放熱板４と、放熱板４の外周端部に取り付けられる放熱板リング５と、シールリング６とを有し、それらは放熱板４の外周端部と放熱板リング５とで狭持され、閉蓋時にシールリング６は内鍋２の上端部に当接する。
【０００４】
前記放熱板リング５の外周端には、外方に水平に張り出した略矩形状の係合爪７と、係合爪７の下方に垂下する略矩形状の把持部８が一体に形成され、係合爪７には、係合部材１０の爪係合部１３が係脱自在に係止する。前記蓋下部材１には、上方に突き出た下方開放の凹部１ａが形成されるとともに、その凹部１ａの内側面上部には、係合部材１０を取り付けるための軸１６が一体に形成される。
【０００５】
前記係合部材１０は、その断面Ｌ字状の本体１１と、本体１１の上端部の略Ｃ字状の軸受１２と、本体１１の側面から内方へ水平方向に張り出した爪係合部１３と、爪係合部１３の反対側に外方へ突き出たスプリング係合突起１４とを有する。
【０００６】
そして、係合部材１０の取り付けは次のように行われる。係合部材１０を凹部１ａ内に挿入し、その上端部の略Ｃ字状の軸受１２を凹部１ａの内側面上部に一体に形成される軸１６に、図１０に矢印で示すように係合し、本体１１のスプリング係合突起１４と凹部１ａの側壁面との間にスプリング１５を介在させる。その結果、係合部材１０は、図９に示すように軸１６から垂下する形態で取り付けられる。
【０００７】
放熱板ユニット３の取り付けは次のように行われる。放熱板ユニット３の係合爪７と径方向の反対側には図示しない後部係止片が設けられており、この後部係止片を炊飯器本体側の係合部に係止し、前記把持部８を指で持って上動する。すると、係合爪７の上部傾斜面が爪係合部１３の下部傾斜面に当接する。かまわず把持部８を上動すると、係合部材１０は軸１６を中心に反時計方向に回動し、係合爪７が爪係合部１３の上方に入り込む。すると係合部材１０は元の位置に戻り、係合爪７が爪係合部１３に係合し、放熱板ユニット３が係止される（例えば、特許文献１参照。）。
【０００８】
このように従来の放熱板ユニット３の取り付け構造は、それなりに簡略化されたものである。しかしながら、従来の放熱板ユニット３の取り付け構造は、凹部１ａの内側面上部に一体に形成される軸１６に、係合部材１０上端部の略Ｃ字状の軸受１２を係合するものであり、凹部１ａの内側面上部に軸１６を一体に形成する際、型部材が複雑になる等、生産コストの高騰を引き起こし、また、軸１６に軸受１２を係合する際、見えない状態で行わなければならずそれだけ手間並びに取り付け時間を要するという問題が生じる。
【０００９】
更に、凹部１ａ内に異物が入ったとか、或いはスプリング１５または係合部材１０が破損した等により、係合部材１０を取り外す場合、その取り外しは容易ではなく、場合によっては係合部材１０が変形或いは破損して再度利用できなくなるという問題が生じる。
【００１０】
更に、従来の取り付け構造は、放熱板ユニット３の把持部８を持ち放熱板ユニット３を強制的に上下方向に移動させ、係合爪７と爪係合部１３との係脱を行うものであった。そのため、例えば、おねば等が係合部材１０に付着し係合部材１０の回動が困難になった場合には、把持部８に加える力が増え、場合によっては係合爪７と爪係合部１３との係脱が行えなくなるという問題が生じる。
【特許文献１】特開２００３−２０４８６９
【発明の開示】
【発明が解決しようとする課題】
【００１１】
本願発明の目的は、このような課題を解決するものである。即ち、係合部材の取り付け及び取り外しを確実、簡単且つ短時間で行うことのできる放熱板ユニットの取り付け構造を提供することである。
【課題を解決するための手段】
【００１２】
上記目的を達成するため、本願発明は以下の構成を採用する。
【００１３】
請求項１に係る発明では、外郭を形成する本体と、前記本体の上面にヒンジを介して取り付けられる蓋体と、前記本体内に収納される内鍋と、前記蓋体の内側に設けられ、外周端に係合爪を設けた放熱板ユニットを有する炊飯器において、前記蓋体の蓋下部材には、上方に突き出た下方開放の凹部を有し、軸または軸受、把持部、爪係合部及びスプリング支持部を備えたレバーと、軸受または軸及びスプリング受を備えたレバーカバーと、スプリングとを有し、前記レバーの軸と前記レバーカバーの軸受、または前記レバーの軸受と前記レバーカバーの軸とを嵌合し、前記スプリング支持部と前記スプリング受との間に前記スプリングを挟持する形態のレバーユニットを有し、前記レバーユニットは、前記凹部内に挿入され、前記把持部が前記凹部から下方に突き出る形態で固定される構成。
【００１４】
請求項２に係る発明では、前記軸受は、円周方向の開口を有し、前記開口を介して前記軸と前記軸受が嵌合され、前記レバーユニットが前記凹部内に挿入された際、前記開口に対向するリブを有する構成。
【００１５】
請求項３に係る発明では、前記蓋体の閉蓋時、前記把持部は、前記内鍋と前記本体との間に位置する構成。
【００１６】
請求項４に係る発明では、前記放熱板ユニットは、前記係合爪と径方向の反対側の外周端に係止片を有し、前記係止片を前記蓋下部材の前記ヒンジ近傍に設けられる２カ所の係合溝に差し込み、前記係合爪を前記レバーの爪係合部に係合させる構成。
【発明の効果】
【００１７】
請求項１に係る発明では、レバーとレバーカバーの軸と軸受とを係合して形成されるレバーユニットを、蓋下部材の凹部に挿入し、例えば、ビスをレバーユニット側から蓋下部材にまで挿入し、該ビスにより前記レバーユニットを蓋下部材に固定することができるため、その取り付け及び取り外しの手間を簡略化できるとともに、その取り付け時間を短縮することができる。また、その取り付け及び取り外し時に部品が変形したり破損する弊害を低減することができる。更に、レバーユニットに例えおねばが付着したとしてもレバーの把持部を持ち軸を中心として左右方向に回動することによりレバーは容易に回動するため、係合爪と爪係合部との係脱を確実に行うことができる。
【００１８】
請求項２に係る発明では、軸受に開口を設け、該開口に対向させて軸の抜け止め用のリブを設けることにより、請求項１に係る発明の効果に加え、例えば放熱板ユニットを取り付ける時等、レバーの軸が軸受の開口から抜け出る弊害を防止することができる。
【００１９】
請求項３に係る発明では、蓋体の閉蓋時、把持部を内鍋と本体との間に位置させることにより、請求項１または２に係る発明の効果に加え、把持部の収納部を容易に確保することができる。その結果、大きな設計変更を不要にすることができる。
【００２０】
請求項４に係る発明では、係合爪と径方向の反対側の後部係止片をヒンジ近傍に設けられる２カ所の係合溝に水平方向に差し込み、係合爪をレバーの爪係合部に上下方向に係合させることにより、請求項１ないし３に係る発明の効果に加え、放熱板ユニットの係止をより簡単且つ確実にすることができる。
【実施例】
【００２１】
以下、添付の図面を参照して、本願発明の好適な実施例について述べる。図１は炊飯器の全体断面図、図２はレバーとレバーカバーとを分解した状態で蓋下部材の凹部に挿入する前の蓋体を下方から見た斜視図であり、図３、図４は各部品の組み立て状態を示す断面図であり、図５は閉蓋時の断面図であり、図６は開蓋時に放熱板ユニットの前方の係合を解除した直後の断面図であり、図７は放熱板ユニットの斜視図であり、図８は放熱板ユニットを蓋体に取り付ける状態を示す斜視図である。なお、図１において操作部がある左側を前方とし、その反対側のヒンジとしてのヒンジピンがある右側を後方とし、上側を上方とし、下側を下方とする。
【００２２】
炊飯器２０の全体を図１に示す。炊飯器２０は、本体２１及び蓋体３５からなる。本体２１は、有底筒状に形成された合成樹脂製の部材であり、その上方にはヒンジピン２２を支持する等の肩部材２３を有し、その底部には空気排出口２４が穿設される底部材２５を有する。本体２１の内部には内鍋２６が着脱自在に配置され、内鍋２６の下方には加熱源としてのＩＨコイル２７が内鍋の底部から側部にかけて配置される。ＩＨコイル２７は、炊飯器２０の前方空間３０に設けられる制御装置２８により制御され、内鍋２６内のお米等が適正にマイコン制御される。
【００２３】
そのマイコン制御は、炊飯器２０の前方上面に配置される表示部及び各種ボタンを有する操作部２９の各種ボタンを操作することにより行われる。また、炊飯器２０の前方空間３０の下方には冷却ファン３１が設けられ、前記ＩＨコイル２７及び制御装置２８を冷却した空気を空気排出口２４から排出する。
【００２４】
前記蓋体３５は、蓋上部材３６及び蓋下部材３７を有する。蓋上部材３６は外周面を形成する樹脂製の部材であり、その中央には円形開口３８を有する。蓋下部材３７は、中央部の円板状の金属部分３７ａと外周部のドーナツ状の樹脂部分３７ｂとからなり、両部分３７ａ、３７ｂはリング状の第１シールリング４０を狭持する形態で一体化される。そして、蓋上部材３６及び蓋下部材３７はそれぞれの外周端部が係合され、内部に断熱空間４１を形成し、必要に応じて断熱材が設けられる。また、金属部分３７ａの中央にも蓋上部材３６の円形開口３８とほぼ同径の円形開口４２が設けられており、両円形開口３８、４２には調圧ユニット４３が設けられる。
【００２５】
前記調圧ユニット４３は、内部に蒸気通路４４及び蒸気弁４５を有し、内部の蒸気圧を調圧する。また、蓋下部材３７の金属部分３７ａの上面には蓋ヒーター４６が設けられ、内鍋２６内を上方から加熱する。
【００２６】
前記蓋体３５は、炊飯器２０の後方に設けられるヒンジピン２２に開方向の力を付与されて軸支されるとともに、その前方に設けられる係合突起４７を肩部材２３に設けられるロック部材４８に係合することにより閉蓋され、ロック部材４８を押圧することにより開蓋される。
【００２７】
前記蓋体３の下方には、放熱板ユニット５０が着脱可能に取り付けられる。下方からみた全体斜視図を図７に示す。該放熱板ユニット５０は、放熱板５１、放熱板リング５２、第２シールリング５３、係合爪５４及び後部係止片５５を有する。前記放熱板５１は、金属製の円板状の薄板、例えばアルミ、ステンレス或いはそれらの合金等でもよく、その外周端には、側面視縦長の矩形状で、横断面細長い矩形状の外端突起５１ａが複数、略等間隔に下方に垂下する形態で設けられている。放熱板５１は、蓋ヒーター４６の熱を上方から内鍋２６内のお米等に伝える機能を有する。
【００２８】
前記放熱板リング５２は、放熱板５１の外周端に取り付けられるリング状の樹脂製部材であり、上下方向に貫通する横断面細長い矩形状の貫通孔５２ａが複数、略等間隔に設けられている。前記第２シールリング５３は、リング状で且つ前記第１シールリング４０とほぼ同じ部材であり、前記放熱板リング５２とともに放熱板５１の外端突起５１ａを略直角に折り曲げることにより狭持される。
【００２９】
前記係合爪５４は、放熱板リング５２の前方に水平に突き出る形態で放熱板リング５２に一体（或いは別体でもよく、別体の場合は接着材等で取り付ける。）に設けられる平面視横長の矩形状の部材であり、その上面には傾斜面５４ａ、その下面には水平係止面５４ｂを有する。
【００３０】
また、前記後部係止片５５は、放熱板リング５２の後方に水平に突き出る形態で放熱板リング５２に一体（或いは別体でもよく、別体の場合は接着材等で取り付ける。）に設けられる前記係合爪５４より大きな平面視横長の矩形状の部材であり、その左右端が係止片部５５ａ、５５ａとされ、これら両係止片部５５ａ、５５ａを蓋下部材３７の後方の左右箇所に、前方側が開放した縦断面コ字状の２個の係合溝５６、５６内に挿入される。
【００３１】
なお、前記放熱板リング５２の係合爪５４近傍の左右側には２個の把持突起５７、５７が設けられており、蓋体３５との係合が解除されたとしてもおねばにより放熱板ユニット５０が蓋体３５に付着し、係合爪５４の係合を解除しても容易に外れないような場合、前記把持突起５７、５７を持って放熱板ユニット５０を取り外すために利用される。
【００３２】
放熱板ユニット５０の取り付けは次のように行われる。まず、放熱板リング５２の根元を第２シールリング５３の根元で包むように重ね、次いで、放熱板５１の複数の外端突起５１ａを放熱板リング５２の複数の貫通孔５２ａに上方から挿入し、貫通孔５２ａから下方に突き出る外端突起５１ａの先端を内方に略直角に折り曲げて放熱板リング５２と第２シールリング５３とを同時に狭持する。その結果、放熱板ユニット５０が形成される。
【００３３】
本発明の放熱板ユニット５０取付構造について説明する。蓋下部材３７の樹脂部分３７ｂの前方には、上方に突き出た下方開放の凹部５８が形成される。この凹部５８は、平面視横長の矩形状で、縦断面略コ字状を呈し、その上壁には後記レバーカバー７０を固定するための複数個、例えば２個のビス穴５８ａ、５８ａが設けられ、その下端部にはレバーカバー７０を嵌合する第１段部５８ｂが設けられる。また、凹部５８の上壁には後記の軸受７３の開口７３ａに対向して、レバー６１の軸６２の上動を規制するリブ５９が設けられる。
【００３４】
符号６０はレバーユニットである。このレバーユニット６０はレバー６１及びレバーカバー７０を有し、取り付け前の斜視図を図２に示す。レバー６１は、樹脂製の縦長の略平板状の部材であり、軸６２、把持部６３、爪係合部６４及びスプリング支持部６５を有し、一体に形成される。
【００３５】
軸６２は、レバー６１の上部、例えば上から略１／４の箇所に左右に水平に張り出してなる縦断面円形の部分である。把持部６３は、軸６２の下方に延設する部分であり、指で持ってレバー６１を左右方向に回動するための部分である。そして、把持部６３の略中央には内方に水平に張り出してなる爪係合部６４が形成される。この爪係合部６４は、その下面には傾斜面６４ａ、その上面には水平係止面６４ｂを有する。
【００３６】
また、軸６２の上方は、把持部６３より小さい矩形状の部分が上方に突出する形態で設けられるとともに、この矩形状の部分には内方に突き出た略棒状のスプリング支持部６５が形成され、レバーカバー７０との間に挟持されるスプリング６６を支持する。
【００３７】
前記レバーカバー７０は、水平部７１及び垂直部７２からなり、軸受７３を有する。水平部７１は略平板状の矩形部分であり、その前方側には平面視矩形状の開放部７４が上下に貫通し、この開放部７４にはレバー６１の把持部６３が上方から挿入する。開放部７４の左右端側には短辺に沿って軸受７３、７３が対向して立設されるとともに、該軸受７３の上部には、円周方向の開口７３ａが例えば上下に貫通して設けられており、軸受７３の縦断面を略Ｃ字状にしている。前記開口７３ａの長さはレバー６１の軸６２の径より若干短くされ、軸６２は開口７３ａの上方から圧入され無理ばめされる。また、水平部７１の外周上端部には凹部５８の第１段部５８ｂに嵌合する第２段部７１ａが形成される。
【００３８】
なお、レバー６１の軸６２の上動を規制するリブ５９があるため、開口７３ａの長さを軸６２の径より長くすることも可能である。更に軸６２を別体に形成し、開口７３ａを設けず軸受７３の断面形状を円形にし、軸６２を横方向から軸受７３内に挿入するようにしてもよい。
【００３９】
前記垂直部７２は、水平部７１の後方端から立設する矩形状の部分であり、その前方側面はスプリング受７５として利用される。なお、上記においては、レバー６１に軸６２を設け、レバーカバー７０に軸受７３を設けるものについて説明したが、レバー６１に軸受を設け、レバーカバー７０に軸を設けるようにしてもよい。
【００４０】
それらの取り付けは、図３及び図４に示すように行われる。まず、レバーカバー７０の上方にレバー６１を置き、レバーカバー７０の開放部７４に上方からレバー６１の把持部６３を挿入する。すると、レバー６１の２つの軸６２がレバーカバー７０の２個の軸受７３の開口７３ａ上部に当接する。かまわずレバー６１を下方に押して軸６２を軸受７３内に圧入する。その後、レバー６１のスプリング支持部６５とレバーカバー７０のスプリング受７５との間に圧縮ばねであるスプリング６６を挟持する。するとレバー６１の上部はスプリング６６により軸６２を中心に図３で左方、即ち反時計方向に回動しようとするが軸６２下方の側面がレバーカバー７０の側面に当接し、図５のようにほぼ垂直に保持されるとともに、図６で矢印で示すように時計方向の回動を許容する。レバー６１とレバーカバー７０とを組み付けることによりレバーユニット６０が形成される。
【００４１】
その後図４に示すようにレバーユニット６０を蓋下部材３７の凹部５８の下方に置き、白抜きの矢印で示すように凹部５８内に挿入する。するとレバーユニット６０のレバーカバー７０は凹部５８内に嵌入し、凹部５８の第１段部５８ｂ内にレバーカバー７０の第２段部７１ａがほぼピッタリ嵌りこみ、凹部５８を塞ぐとともに、蓋下部材３７の下面とレバーカバー７０の下面とをほぼ面一にする。なお、レバーユニット６０が凹部５８内に挿入されると凹部５８の上面から垂下するリブ５９の下端部が軸受７３の開口７３ａを塞ぐように位置し、放熱板ユニット５０の取付時に該開口７３ａから軸６２が抜け出る弊害を防止する。
【００４２】
レバーユニット６０を凹部５８に挿入すると、把持部６３は凹部５８の下方にほぼ垂直状態で垂下するとともに、その把持部６３は蓋体３５の閉蓋時、図１及び図５に示すように肩部材２３である本体２１の側壁面と内鍋２６との間の空間部３２に位置する。把持部６３を凹部５８の下方にほぼ垂直状態で垂下させることにより、この把持部６３を持って左右方向へ回動し、係合爪５４と爪係合部６４との解除を容易に行うことができ、また、把持部６３を本体２１の側壁面と内鍋２６との間の空間部３２に位置させることにより、例え把持部６３が蓋体３５の下方に突出したとしても蓋体３５の開閉に支障が生じることはない。その後、２本のビス７６、７６をレバーカバー７０の下方から挿入し、凹部５８の上面のビス穴５８ａ、５８ａに螺合することによりレバーユニット６０を凹部５８に固定する。
【００４３】
放熱板ユニット５０の取り付けについて説明する。図１及び図８に示すように炊飯器２０後方のヒンジピン２２の近傍には、左右に離れて２個の係合溝５６、５６が設けられており、放熱板ユニット５０を前方から後方へほぼ水平に移動し、放熱板ユニット５０後方の後部係止片５５の係止片部５５ａ、５５ａを前記係合溝５６、５６に嵌合する。
【００４４】
その後、放熱板ユニット５０の前方を例えば把持突起５７を持って上動する。すると、係合爪５４の上部の傾斜面５４ａがレバー６１の爪係合部６４の下面の傾斜面６４ａに当接する。構わず押し上げると、レバー６１の把持部６３は時計方向に回動し、係合爪５４は爪係合部６４の上方へ移動する。すると把持部６３はスプリング６６により反時計方向に回動し、係合爪５４の水平係止面５４ｂと爪係合部６４の水平係止面６４ｂとが係合し、図５の状態になり、放熱板ユニット５０は蓋体３５の下面に取り付けられる。放熱板ユニット５０の取り外しはその逆の動作によって行われる。
【００４５】
なお、その取り外し時、図６に示すように、把持部６３を矢印で示すように時計方向に回動すると、放熱板ユニット５０は自重により図に示すようにその係合爪５４側が下方に移動するが、例えば、おねばが付着した等の原因により放熱板ユニット５０が下方に下がらない場合には、把持突起５７を持って押し下げることにより容易に放熱板ユニット５０を取り外すことができる。
【００４６】
本発明は、前記実施例の構成に限定されるものではなく、発明の要旨を逸脱しない範囲において適宜設計変更可能である。
【図面の簡単な説明】
【００４７】
【図１】本願発明の炊飯器の全体断面図
【図２】レバーとレバーカバーとを分解した状態で蓋下部材の凹部に挿入する前の蓋体を下方から見た斜視図
【図３】レバーとレバーカバーとを組み付ける前の拡大断面図
【図４】レバーユニットを凹部に挿入する前の拡大断面図
【図５】レバーユニットを凹部に取り付けた閉蓋時の拡大断面図
【図６】開蓋時に放熱板ユニットの前方の係合を解除した直後の要部拡大断面図
【図７】放熱板ユニットを下方から見た斜視図
【図８】放熱板ユニットを蓋下部材に組み付ける直前の状態を下方から見た斜視図
【図９】従来の放熱板ユニットの取り付け構造の断面図
【図１０】図９の係合部材を凹部に取り付ける直前の斜視図
【符号の説明】
【００４８】
２０…炊飯器            ２１…本体
２２…ヒンジピン        ２３…肩部材
２４…空気排出口        ２５…底部材
２６…内鍋              ２７…ＩＨコイル
２８…制御装置          ２９…操作部
３０…前方空間          ３１…冷却ファン
３２…空間部            ３５…蓋体
３６…蓋上部材          ３７…蓋下部材
３７ａ…金属部分        ３７ｂ…樹脂部分
３８…円形開口          ４０…第１シールリング
４１…断熱空間          ４２…円形開口
４３…調圧ユニット      ４４…蒸気通路
４５…蒸気弁            ４６…蓋ヒーター
４７…係合突起          ４８…ロック部材
５０…放熱板ユニット    ５１…放熱板
５１ａ…外端突起        ５２…放熱板リング
５２ａ…貫通孔          ５３…第２シールリング
５４…係合爪            ５４ａ…傾斜面
５４ｂ…水平係止面      ５５…後部係止片
５５ａ…係止片部        ５６…係合溝
５７…把持突起          ５８…凹部
５８ａ…ビス穴          ５８ｂ…第１段部
５９…リブ              ６０…レバーユニット
６１…レバー            ６２…軸
６３…把持部            ６４…爪係合部
６４ａ…傾斜面          ６４ｂ…水平係止面
６５…スプリング支持部  ６６…スプリング
７０…レバーカバー      ７１…水平部
７１ａ…第２段部        ７２…垂直部
７３…軸受              ７３ａ…開口
７４…開放部            ７５…スプリング受
７６…ビス
【図１】
0005050894.tif 000002
【図２】
0005050894.tif 000003
【図３】
0005050894.tif 000004
【図４】
0005050894.tif 000005
【図５】
0005050894.tif 000006
【図６】
0005050894.tif 000007
【図７】
0005050894.tif 000008
【図８】
0005050894.tif 000009
【図９】
0005050894.tif 000010
【図１０】
0005050894.tif 000011